(57)【特許請求の範囲】
【請求項１】
対象物に貼着して通過する気体をろ過するためのフィルターであって、
矩形シート状の不織布と、
前記不織布の一方面の全面に対して、前記不織布の上辺に対して斜めのストライプ状に塗布された粘着剤と、
前記不織布の前記一方面であって前記粘着剤が塗布されていない前記不織布の部分に塗布された文字、記号等の表示機能を有する文字状粘着剤と、のみからなる、フィルター。
【請求項２】
対象物に貼着して通過する気体をろ過するためのフィルターであって、
矩形シート状の不織布と、
前記不織布の一方面の全面に対して、前記不織布の上辺に対して斜めの格子状に塗布された粘着剤と、
前記不織布の前記一方面であって前記粘着剤が塗布されていない前記不織布の部分に塗布された文字、記号等の表示機能を有する文字状粘着剤と、のみからなる、フィルター。
【発明の詳細な説明】
【０００１】
【発明の属する技術分野】
この発明はフィルターに関し、特にエアコンの吸入口、レンジフード、換気扇等に取付けられるフィルターに関するものである。
【０００２】
【従来の技術】
特開平１０−２８８２５号公報において、不織布の一面に接着剤を網目状又は格子縞状に塗布し、塗布面側に剥離紙を貼り付けたカットフィルター材が開示されている。
【０００３】
使用時には、接着剤の網目に沿って切断して空気清浄機等の吸込み口に取付ける。これによって、開口部の周縁を接着剤で囲むことができるので気体のリークを防止できる。
【０００４】
【発明が解決しようとする課題】
上記のような従来のフィルターでは、使用後それを取外そうとする時に問題を生じる。すなわち、このフィルターでは、その周縁が接着剤の塗布面で囲まれて接着されているため、その縁を手で掴みにくく剥がしにくい。無理に剥がそうとするとフィルターが破れて一部が残存してしまい、これを取り除くために又労力を要する。
【０００５】
この発明は上記のような課題を解決するためになされたもので、種々のサイズの対象物に確実に取付けることができるとともに、容易に取外しができるフィルターを提供することを目的とする。
【０００６】
【課題を解決するための手段】
請求項１記載の発明は、対象物に貼着して通過する気体をろ過するためのフィルターであって、矩形シート状の不織布と、不織布の一方面の全面に対して、不織布の上辺に対して斜めのストライプ状に塗布された粘着剤と、不織布の一方面であって粘着剤が塗布されていない不織布の部分に塗布された文字、記号等の表示機能を有する文字状粘着剤と、のみからなるものである。
【０００７】
このように構成すると、不織布の一方面の全面に不織布の上辺に対して斜めのストライプ状に粘着剤が塗布される。又、不織布の一方面であって粘着剤が塗布されていない不織布の部分に文字、記号等の表示機能を有する文字状粘着剤が塗布されるものである。
【００１０】
請求項２記載の発明は、対象物に貼着して通過する気体をろ過するためのフィルターであって、矩形シート状の不織布と、不織布の一方面の全面に不織布の上辺に対して斜めの格子状に塗布された粘着剤と、不織布の一方面であって粘着剤が塗布されていない不織布の部分に塗布された文字、記号等の表示機能を有する文字状粘着剤と、のみからなるものである。
【００１１】
このように構成すると、不織布の対象物に対する粘着強度が全体的に向上するとともに、不織布の辺のいずれにおいても、粘着剤が塗布されない部分が生じる。又、不織布の一方面であって粘着剤が塗布されていない不織布の部分に文字、記号等の表示機能を有する文字状粘着剤が塗布されるものである。
【００３２】
【発明の効果】
以上説明したように、請求項１記載の発明は、フィルターは安定した状態で対象物に貼着できるとともに、不織布の辺の各々には粘着剤が塗布されない部分が必ず生じるので、対象物からフィルターを剥がすとき、容易に不織布の一部を掴むことができるため、フィルターの取外しが簡単にできる。又、使用によって周囲の部分が変色するので文字状粘着剤の塗布部分が識別しやすくなる。そのため、例えば、フィルターの交換を促すような文字を文字状粘着剤として塗布しておけば、フィルターの交換の目安となり使い勝手が良い。
【００３５】
請求項２記載の発明は、不織布の対象物に対する貼着強度が全体的に向上するので、不織布の貼着時における信頼性が向上する。しかも、不織布の辺のいずれにおいても粘着剤が塗布されていない部分が必ず生じているため、フィルターの取外しが極めて容易となる。又、使用によって周囲の部分が変色するので文字状粘着剤の塗布部分が識別しやすくなる。そのため、例えば、フィルターの交換を促すような文字を文字状粘着剤として塗布しておけば、フィルターの交換の目安となり使い勝手が良い。
【００４５】
【発明の実施の形態】
図１はこの発明の第１の実施の形態によるフィルターの使用状態を示した概略図である。
【００４６】
図を参照して、この実施の形態によるフィルター１５は、エアコン２０の前面２１及び上面２５に取付けられて使用されている。すなわち、エアコン２０の前面２１には室内の空気を吸込むための空気吸入口２２と、吸込まれた空気を冷やしたり又は温めたりしたものを室内に吹出すための空気吐出口２３と、室内の温度を検知して吹出し温度を制御するための温度センサー２４とが取付けられている。尚、空気吸入口２２は、一般にエアコン２０の幅方向に平行に伸びる複数の桟によって構成されている。
【００４７】
フィルター１５はこのエアコン２０に吸込まれる空気をろ過して清浄化するために取付けられるものである。従って、空気吸入口２２の部分を全体的に覆うように前面２１の面の一部と、エアコン２０の汚れが付着しやすい上面２５の部分とを覆うように取付けられている。又、温度センサー２４の温度検出機能を阻害させないために、これを露出すべくフィルター１５には切欠部３３が設けられている。
【００４８】
使用によってフィルター１５が汚れてくると、フィルター１５をエアコン２０から取外し同様の形状の新たなフィルター１５をエアコン２０に取付けることになる。
【００４９】
図２は図１で示したフィルター１５を展開した状態の平面図である。
【００５０】
図を参照して、フィルター１５はポリエチレンテレフタラート（ＰＥＴ）樹脂からなるシート状の不織布を主体として構成されており、矩形形状を有している。フィルター１５の一方面（図においては裏面側）に一定間隔のストライプ状の粘着剤３２が全面に塗布（粘着加工も含む）されている。尚、粘着剤３２には、取外したときに被取付け面にその一部が残存しにくいウレタン系の粘着剤を使用している。又、この実施の形態によるフィルター１５には、縦方向と横方向とに強度差を生じる製法の１つであるサーマルボンド法によって製造されたものを使用している。
【００５１】
粘着剤３２はこのようにフィルター１５の上辺１６及び下辺１７の方向に向かって形成されているため、上辺１６及び下辺１７の部分には必ず粘着剤３２が形成されていない部分が生じている。従って、フィルター１５をエアコン２０から剥がす際には、上辺１６及び下辺１７において粘着剤３２が形成されていない部分を容易に掴むことができるため、簡単にフィルター１５を取外すことができる。
【００５２】
尚、粘着剤３２の中でフィルター１５の右辺１８に近接している粘着剤３２ａは右辺１８から距離Ｌ１の位置に形成されている。この粘着剤３２ａはフィルター１５に形成された切欠部３３の部分を通過するように形成されているため、フィルター１５の切欠部３３の周辺が取付け後に垂れ下がったりする虞がなく、安定した状態でエアコン２０の温度センサー２４の周辺に取付けられる。尚、粘着剤３２ａを距離Ｌ１をほとんど０に近づくように右辺１８に接近させて形成してもよいが、例えば１０〜２０ｍｍ程度右辺１８から離して形成しておくと、取外し時に上辺１６、下辺１７のみならず右辺１８の部分を掴み易くなり更に使い勝手が良い。
【００５３】
同様にフィルター１５の左辺１９側には、粘着剤３２ｂが距離Ｌ２の位置に形成されている。このＬ２も１０〜２０ｍｍ程度としておけば、フィルター１５の左辺１９側も掴み易くなりフィルター１５のエアコン２０からの取外しが更に容易となる。
【００５４】
又、粘着剤３２の形成方向は図１でいえば、空気吸入口２２の横方向に伸びる桟に対して直交している方向に形成されている。粘着剤３２の形成部分は空気が通過しないため、空気吸入口２２に対してその桟と同一方向に粘着剤３２を形成するものに比べて、空気吸入口２２の実質的な吸入面積の減少をより小さくしている。更に、空気吸入口２２の横方向に平行に粘着剤３２を形成すると、空気吸入口２２を構成する桟との関係で粘着剤３２を空気吸入口２２の桟に確実に貼着することが難しくなる。従って、このような粘着剤３２の貼着効果という点からも、空気吸入口２２の桟の形成方向に対して直角方向となるように粘着剤３２を不織布３１に形成することが好ましいものである。
【００５５】
図３は図１及び図２で示したフィルター１５の一部の取付け前の状態であって、フィルター１５に剥離紙がその裏面に取付けられた状態を示した平面図であり、図４は図３のＩＶ−ＩＶラインの断面図である。
【００５６】
これらの図を参照して、フィルター１５を構成する不織布３１は上述のようにサーマルボンド法によって製造されているため、縦方向と横方向とに強度差を生じたものとなっている。この実施の形態においては、不織布３１を構成する繊維３５はＸ方向に主に連続して連結されており、Ｘ方向に対して直角方向のＹ方向に対しては繊維３５同志の連結は弱くなっている。従って、フィルター１５を構成する不織布３１は、Ｘ方向に対する引張り強度に対してＹ方向の引張り強度はそれより小さくなっている。そこでこの実施の形態においては不織布３１の裏面に形成される粘着剤３２の形成方向をＹ方向としている。これによって、粘着剤３２はフィルター１５に対してＹ方向の補強機能も発揮し、フィルター１５の全体としての強度の向上に寄与する。
【００５７】
フィルター１５の使用前には、繊維３５の裏面に形成されている粘着剤３２に剥離紙３７が取付けられている。使用時には剥離紙３７を粘着剤３２から剥がすが、この際も粘着剤３２の端部側の位置が内方に距離Ｌ２の位置に形成されていると、その端部まで粘着剤３２が形成されているのに比べて剥離紙３７がより剥がし易くなり使い勝手が良い。この剥離紙３７の剥がし易さは、粘着剤３２の形成方向の端部におけるフィルター１５の上辺１６及び下辺１７の位置においても同様である。
【００５８】
図５はこの発明の第２の実施の形態によるフィルターの概略構造を示した平面図である。
【００５９】
図を参照して、フィルター１５を構成する不織布３１の裏面には先の第１の実施の形態によるフィルターにおける粘着剤３２に対応する縦方向粘着剤４１のみならず、縦方向粘着剤４１の形成方向に対して直交する方向に横方向粘着剤４０がストライプ状に形成されている。この縦方向粘着剤４１及び横方向粘着剤４０によって粘着剤が不織布３１の裏面に格子状に形成されていることになる。そのため、不織布３１の繊維の形成方向がいずれの方向にあっても、縦方向粘着剤４１又は横方向粘着剤４０によってフィルター１５の全体的な強度が向上するとともに、粘着力も増大する。
【００６０】
又、横方向粘着剤４０のうちフィルター１５の上辺１６に近接する横方向粘着剤４０ａは上辺１６から距離Ｈ１の位置に形成されている。同様にフィルター１５の下辺１７に近接する横方向粘着剤４０ｂは下辺１７から距離Ｈ２の位置に形成されている。従ってフィルター１５の上辺１６及び下辺１７には、少なくとも縦方向粘着剤４１が形成されていない部分が生じている。従って、これらの部分を掴むことによって使用後のフィルター１５を容易に剥がして取外すことが可能となる。
【００６１】
尚、フィルター１５の右辺１８に近接する縦方向粘着剤４１ａ及びフィルター１５の左辺１９に近接する縦方向粘着剤４１ｂの各々は、先の第１の実施の形態による粘着剤３２ａ及び粘着剤３２ｂと同様の位置に形成されている。しかし横方向粘着剤４０を上述のような位置に形成することによって、縦方向粘着剤４１ａ及び縦方向粘着剤４１ｂをフィルター１５の右辺１８及び左辺１９から離すことなくその外縁に沿うように形成してもよい。
【００６２】
図６はこの発明の第３の実施の形態によるフィルターの概略形状を示した平面図である。
【００６３】
図を参照して、フィルター１５を構成する不織布３１の裏面にはストライプ状の粘着剤４２が左下から右上に伸びるように斜めに形成されている。このように粘着剤４２を形成することによって、フィルター１５の上辺１６、下辺１７、右辺１８及び左辺１９のいずれの辺においても粘着剤４２が形成されていない部分が生じることになる。従って、それらの部分を掴むことによって使用後のフィルター１５を容易に剥がして取外すことが可能となる。
【００６４】
図７はこの発明の第４の実施の形態によるフィルター１５の概略形状を示した平面図である。
【００６５】
図を参照して、フィルター１５を構成する不織布３１の裏面には格子状の粘着剤４４が斜め方向に形成されている。従って、フィルター１５の上辺１６、下辺１７、右辺１８及び左辺１９のいずれの辺においても粘着剤４４が形成されていない部分が生じることになる。これによって不織布３１の繊維方向に関わらず全体的な強度を向上させるとともに、使用後のフィルター１５の取外しが容易となる。
【００６６】
図８はこの発明の第５の実施の形態によるフィルターの概略構造を示した平面図である。
【００６７】
図を参照して、フィルター１５を構成する不織布３１は基本的には矩形形状であるが、その上辺１６の右隅に上方に突き出た耳片５０が形成されている。不織布３１の裏面には格子状の粘着剤４６が形成されているが、この粘着剤４６は耳片５０の部分には形成されないものである。そのため粘着剤４６を構成する粘着剤４６ａを不織布３１の上辺１６に、粘着剤４６ｂを不織布３１の下辺１７に、粘着剤４６ｃを不織布３１の右辺１８に、粘着剤４６ｄを不織布３１の左辺１９に各々沿うように形成しても、耳片５０には粘着剤が全く形成されないことになる。これによって不織布３１をより安定して対象物に貼着できるとともに、使用後のフィルター１５を耳片５０を用いて容易に剥がして取外すことが可能となる。
【００６８】
図９は図５、図７及び図８に示した実施の形態における不織布に形成された格子状の粘着剤の形成状態の他の例を示した図であって、粘着材側からみた図である。
【００６９】
格子状の粘着剤は各々連続するように形成するのが不織布の補強という点では基本的には好ましい。しかし、横方向にストライプ状に形成される横方向粘着剤５３は各々連続的に形成し、これに直交する縦方向にストライプ状に形成される縦方向粘着剤５５については、各々所定間隔Ｓ１，Ｓ２を離して独立した島状に形成するようにしてもよい。この場合、好ましくは不織布の強度的に弱い方向に横方向粘着剤５３を形成するようにすれば、フィルターの全体的な強度を低下させることなく全体の粘着力を向上させて使用することが可能となる。
【００７０】
尚、上記の第１の実施の形態から第４の実施の形態における粘着剤の各々は、連続的に形成されるもののみならず、図９に示した縦方向粘着剤５５のような島状に形成したものも含むものである。
【００７１】
図１０はこの発明の第６の実施の形態による粘着剤の形成状態を示した図である。
【００７２】
図を参照して、この実施の形態においては縦方向に形成されたストライプ状粘着剤５８の各々の間のスペースに「交換」を表示する粘着剤が文字状粘着剤６０としてフィルター１５の裏面に形成されている。フィルター１５の使用時においては、ストライプ状粘着剤５８及び文字状粘着剤６０の部分は気体が通過しない。一方、使用によって通過するそれらの周りの不織布３１は汚れ等を吸収することによって徐々に変色することになる。そのため、ストライプ状粘着剤５８及び文字状粘着剤６０が周りの変色によって浮かび上がることになる。このようにして文字状粘着剤６０をフィルター１５の取替えの目安とすることができ、より使い勝手が向上する。
【００７３】
尚、文字状粘着剤６０は、上述のようにストライプ状粘着剤を対象としたフィルターのみならず、格子状の粘着剤を対象としたフィルターにも同様に適用できることはいうまでもない。
【００７４】
又、上記の実施の形態では、粘着剤をストライプ状又は格子状に塗付しているが、これに限らず粘着剤を不織布の外周縁においては、その一部にのみ塗布し他の一部には粘着剤を塗付しないようにすれば、取り外しが容易となる同様の効果を奏する。
【００７５】
更に、上記の実施の形態では、エアコンをフィルターの取り付けの対象物としているが、これに限らずレンジフード、換気扇等に対しても同様に適用できる。この場合、用途及び取付対象の形状等に応じてストライプ状や格子状の粘着剤を塗布したものを用い、その形成方向も適宜選択するようにすれば良い。
【００７６】
図１１はこの発明の第７の実施の形態によるフィルターの概略形状を示した平面図であり、図１２は図１１の“Ｘ”部分の拡大図である。
【００７７】
図を参照して、フィルター１５を構成する不織布３１の裏面にはフィルター１５の外周縁に沿って枠状に粘着剤が塗布されている。すなわち、不織布３１の上辺に対してはその外周縁から内方へ所定距離Ｃ２離れた位置でかつ外周縁に沿う方向に幅Ｗ２の横方向粘着剤６１ａが塗布されている。この実施の形態においては寸法Ｃ２は３〜５ｍｍであり、Ｗ２は２０ｍｍとなっている。尚、不織布３１自体の大きさは、横方向の長さＡが６００ｍｍであり、縦方向の長さＢは３５０ｍｍとなっている。
【００７８】
不織布３１の下辺に対しては、上辺と同様にその外周縁から内方へ同様の距離だけ離れた位置でその外周縁に沿う方向に横方向粘着剤６１ｂが塗布されている。
【００７９】
一方、不織布３１の左辺に対してはその外周縁から内方へ所定距離Ｃ１離れた位置でかつその外周縁に沿う方向に幅Ｗ１の縦方向粘着剤６２ｂが塗布されている。尚寸法Ｃ１は３〜５ｍｍであり、縦方向粘着剤６２ｂの幅Ｗ１は１０ｍｍとなっている。同様に不織布３１の右辺に対しても縦方向粘着剤６２ａが塗布されている。
【００８０】
このようにして不織布３１の裏面に枠状の粘着剤６１，６２が塗布されている。この状態で対象物にフィルター１５を取付けると、その外縁部の周りの全てが対象物に接着されるためその取付け状態が安定する。
【００８１】
一方、横方向粘着剤６１及び縦方向粘着剤６２ともに寸法Ｃ１及び寸法Ｃ２だけ外周縁から粘着剤が塗布していない部分が生じている。従って、フィルター１５を取外すときには、この部分を容易に掴むことができるため、対象物からフィルタ１５を容易に取外すことが可能となる。
【００８２】
図１３はこの発明の第８の実施の形態によるフィルターの概略形状を示した平面図である。
【００８３】
図を参照して、フィルター１５を構成する不織布３１の外周縁の周りに枠状に塗布されている横方向粘着剤６１ａ，６１ｂ及び縦方向粘着剤６２ａ，６２ｂの塗布の態様は先の第７の実施の形態によるものと同一である。すなわち、横方向粘着剤６１は不織布３１の上下の辺から内方へ寸法Ｃ２の位置に塗布されており、縦方向粘着剤６２は不織布３１の左右両辺の外周縁から内方へ寸法Ｃ１の位置に塗布されている。これによってフィルター１５の対象物からの剥がしを容易としている。
【００８４】
そして、この実施の形態においては、枠状に塗布された横方向粘着剤６１及び縦方向粘着剤６２の内方に格子状の粘着剤６４が更に塗布されている。これによって、フィルター１５の内方部分における対象物への貼着をより安定したものとしている。尚、この実施の形態においては、格子状の粘着材６４は斜め方向に塗布されているが、これを鉛直及び左右方向に塗布するようにしても同様の効果を奏する。
【００８５】
図１４はこの発明の第９の実施の形態によるフィルターの概略形状を示した平面図である。
【００８６】
図を参照して、フィルター１５を構成する不織布３１の裏面には、その上下辺に対して外周縁から内方へ距離Ｃ１離れた位置に外周縁に沿うように横方向粘着剤６１ａ，６１ｂが形成されているが、左右両辺に対してはそのような縦方向粘着剤は形成されていない。そして横方向粘着剤６１ａ，６１ｂの間には格子状の粘着剤６４が斜め方向に形成されている。
【００８７】
このように構成すると、フィルター１５を剥がす際に、上下辺に対しては先の第７の実施の形態及び第８の実施の形態によるものと同様の効果を奏するとともに、その左右辺に対しては粘着剤６４がその外周縁まで形成されているため、その部分の貼着効果が向上する。しかしその場合であっても、左右両辺からフィルター１５を剥がす際には粘着剤６４が斜め方向に形成されているため、粘着剤が塗布されていない部分が左右両辺の端部には必ず生じる。そのため、その部分を利用して左右からも容易に剥がすことが可能となる。
【００８８】
図１５はこの発明の第１０の実施の形態によるフィルターの概略形状を示した平面図であって、その左上方部の拡大図である。
【００８９】
図を参照して、フィルター１５を構成する不織布３１の裏面には、その上辺に対してはその外周縁から内方へ距離Ｃ２の位置に外周縁に沿うように横方向粘着剤６１ａが連続的に形成されている。一方、不織布３１の左辺に対してはその外周縁から内方へ所定距離Ｃ１の位置に縦方向粘着剤６６が形成されているが、これは先の各実施の形態とは異なり連続的に形成されておらず、寸法Ｅだけ互いに離れた状態で塗布されている。
【００９０】
このように縦方向粘着剤６６を塗布すると、その粘着剤の塗布量を減らせるとともに、上辺と同様に粘着剤が塗布されていない部分が距離Ｃ１の範囲においてすべて生じている。従って左右両辺からフィルター１５を剥がす際にも容易にその端部を掴むことができるとともに、左右両辺の外周縁の周りにも縦方向粘着剤６６が形成されているため、その左右両辺における貼着効果を損なうことはない。
【図面の簡単な説明】
【図１】この発明の第１の実施の形態によるフィルターの取付け状態を示した概略図である。
【図２】図１で示したフィルター１５の展開状態を示した概略平面図である。
【図３】図２で示したフィルター１５の使用前の状態を示した平面図の一部である。
【図４】図３のＩＶ−ＩＶラインの断面図である。
【図５】この発明の第２の実施の形態によるフィルターの概略形状を示した平面図である。
【図６】この発明の第３の実施の形態によるフィルターの概略形状を示した平面図である。
【図７】この発明の第４の実施の形態によるフィルターの概略形状を示した平面図である。
【図８】この発明の第５の実施の形態によるフィルターの概略形状を示した平面図である。
【図９】先の各実施の形態における格子状の粘着剤の形成状態の他の例を示した図である。
【図１０】この発明の第６の実施の形態によるフィルターにおける粘着剤の形成状態を示した図である。
【図１１】この発明の第７の実施の形態によるフィルターの概略形状を示した平面図である。
【図１２】図１１の“Ｘ”部分の拡大図である。
【図１３】この発明の第８の実施の形態によるフィルターの概略形状を示した平面図である。
【図１４】この発明の第９の実施の形態によるフィルターの概略形状を示した平面図である。
【図１５】この発明の第１０の実施の形態によるフィルターの一部を拡大した平面図である。
【符号の説明】
１５…フィルター
１６…上辺
１７…下辺
１８…右辺
１９…左辺
３１…不織布
３２，４２，４４，４６…粘着剤
３５…繊維
４０，５３…横方向粘着剤
４１，５５…縦方向粘着剤
５８…ストライプ状粘着剤
６０…文字状粘着剤
６１…横方向粘着剤
６２，６６…縦方向粘着剤
６４…粘着剤
尚、各図中同一符号は同一又は相当部分を示す。
【図１】
0004082648.tif 000002
【図２】
0004082648.tif 000003
【図３】
0004082648.tif 000004
【図４】
0004082648.tif 000005
【図５】
0004082648.tif 000006
【図６】
0004082648.tif 000007
【図７】
0004082648.tif 000008
【図８】
0004082648.tif 000009
【図９】
0004082648.tif 000010
【図１０】
0004082648.tif 000011
【図１１】
0004082648.tif 000012
【図１２】
0004082648.tif 000013
【図１３】
0004082648.tif 000014
【図１４】
0004082648.tif 000015
【図１５】
0004082648.tif 000016